(57)【特許請求の範囲】
【請求項１】
合成基地局と、前記合成基地局と協調して受信を行う転送基地局と、を有する通信システムであって、
前記合成基地局は、
１つの端末からの受信信号に対して復調処理を施す第１復調部と、
前記端末の初回送信時における受信信号の復号結果に誤りが有る場合に合成処理が必要と判定する第１判定部と、
前記合成処理が必要と判定された場合に前記端末に対してＮＡＣＫを送信するとともに、前記転送基地局に対して信号転送要求メッセージを送信し、前記端末の再送時において前記転送基地局から転送される転送信号を受信する第１通信部と、
前記合成処理が必要と判定された場合、前記転送基地局からの前記転送信号と、前記端末の今回の再送時における受信信号に対する復調処理によって得られた信号と、前記端末の初回送信時から前回の再送時までにおける受信信号に対する復調処理によって得られた信号を合成した信号と、を合成する第１合成部と、
を具備し、
前記転送基地局は、
前記端末からの受信信号に対して復調処理を施す第２復調部と、
前記端末の初回送信時から今回の再送時までにおける受信信号に対する復調処理によって得られた信号を合成する第２合成部と、
前記信号転送要求メッセージを受信した場合、前記第２合成部で合成された信号を前記転送信号として前記合成基地局に送信させる第２判定部と、
を具備する、
通信システム。
【請求項２】
前記転送信号は、前記転送基地局において受信された信号から算出される対数尤度比である、
請求項１に記載の通信システム。
【請求項３】
１つの端末から送信された信号を合成基地局及び転送基地局と協調して受信し、前記転送基地局の受信信号及び前記合成基地局の受信信号の合成処理を行うにおける通信システムの信号合成方法であって、
前記合成基地局が、
前記端末からの受信信号に対して復調処理を施し、
前記端末の初回送信時における前記合成基地局の受信信号の復号結果に誤りが有る場合に前記合成処理が必要と判定し、
前記合成処理が必要と判定された場合に前記端末に対してＮＡＣＫを送信するとともに、前記転送基地局に対して信号転送要求メッセージを送信し、
前記転送基地局が、
前記端末からの受信信号に対して復調処理を施し、
前記端末の初回送信時から今回の再送時までにおける受信信号に対する復調処理によって得られた信号を合成し、
前記信号転送要求メッセージを受信した場合、合成した信号を転送信号として前記合成基地局に送信し、
前記合成基地局が、
前記端末の再送時において、前記転送基地局から前記転送信号を受信し、
前記合成処理が必要と判定された場合、前記転送基地局からの前記転送信号と、前記端末の今回の再送時における受信信号に対する復調処理によって得られた信号と、前記端末の初回送信時から前回の再送時までにおける受信信号に対する復調処理によって得られた信号を合成した信号と、を合成する、
信号合成方法。
【発明の詳細な説明】
【技術分野】
【０００１】
本開示は、通信システム及び信号合成方法に関する。
【背景技術】
【０００２】
ＬＴＥ（Long Term Evolution）では、上り回線（Uplink）においてＣｏＭＰ受信（Coordinated Multi-Point reception：以下、ＵＬ−ＣｏＭＰと称することもある）の運用が検討されている（例えば、非特許文献１を参照）。ＣｏＭＰ受信では、複数の基地局は１つの端末から送信される信号をそれぞれ受信し、各基地局において受信された信号を合成することにより、信号の受信品質を改善する。
【０００３】
ＵＬ−ＣｏＭＰにおいて端末からの信号を協調して受信する複数の基地局毎の受信信号は、合成処理／復号処理を行う基地局に転送される。以下の説明では、ＵＬ−ＣｏＭＰに参加する複数の基地局のうち、合成処理／復号処理を行う基地局を「合成基地局」と称し、合成基地局へ受信信号を転送する基地局を「転送基地局」と称する。
【０００４】
図１は、ＵＬ−ＣｏＭＰが適用され得る環境の一例を示す。図１において、端末Ａ及び端末Ｂは、基地局Ａ及び基地局Ｂの各々のカバーエリアの端（セルエッジ）に位置し、基地局Ａ及び基地局Ｂにそれぞれ接続されている。この場合、端末Ａの上り回線信号に関して、基地局Ａまでの距離減衰による信号電力の低下のみでなく、端末Ｂの上り回線信号による干渉が発生することにより受信品質が劣化してしまう。端末Ｂの上り回線信号についても同様である。
【０００５】
これに対して、ＵＬ−ＣｏＭＰでは、基地局Ａ及び基地局Ｂが端末Ａ又は端末Ｂの各々の上り回線信号を協調して受信し、各基地局で受信された信号を合成することにより、信号の受信品質を改善することができる。
【先行技術文献】
【非特許文献】
【０００６】
【非特許文献１】3GPP TS 36.819 V11.2.0, Coordinated multi-point operation for LTE physical layer aspects (Release 11)
【発明の概要】
【発明が解決しようとする課題】
【０００７】
一般に、転送基地局から合成基地局へ転送される１回あたりの信号のサイズが大きいほど、ＣｏＭＰによる受信品質の改善効果は大きくなる。また、転送基地局から合成基地局への信号の転送頻度が高いほど（転送周期が短いほど）、ＣｏＭＰによる受信品質の改善効果は大きくなる。すなわち、転送量が増加するほどＣｏＭＰによる受信品質のより大きな改善効果が見込める。しかしながら、ネットワークへの負荷を考慮すると、転送基地局から合成基地局への信号の転送量は極力抑えることが望ましい。
【０００８】
本開示の一態様の目的は、ＣｏＭＰ適用による受信品質の改善効果を維持しつつ、ＣｏＭＰ適用時の信号の転送量を減少させることができる通信システム及び信号合成方法を提供することである。
【課題を解決するための手段】
【０００９】
本開示の一態様に係る通信システムは、合成基地局と、前記合成基地局と協調して受信を行う転送基地局と、を有する通信システムであって、前記合成基地局は、１つの端末からの受信信号に対して復調処理を施す第１復調部と、前記端末の初回送信時における受信信号の復号結果に誤りが有る場合に合成処理が必要と判定する第１判定部と、前記合成処理が必要と判定された場合に前記端末に対してＮＡＣＫを送信するとともに、前記転送基地局に対して信号転送要求メッセージを送信し、前記端末の再送時において前記転送基地局から転送される転送信号を受信する第１通信部と、前記合成処理が必要と判定された場合、前記転送基地局からの前記転送信号と、前記端末の今回の再送時における受信信号に対する復調処理によって得られた信号と、前記端末の初回送信時から前回の再送時までにおける受信信号に対する復調処理によって得られた信号を合成した信号と、を合成する第１合成部と、を具備し、前記転送基地局は、前記端末からの受信信号に対して復調処理を施す第２復調部と、前記端末の初回送信時から今回の再送時までにおける受信信号に対する復調処理によって得られた信号を合成する第２合成部と、前記信号転送要求メッセージを受信した場合、前記第２合成部で合成された信号を前記転送信号として前記合成基地局に送信させる第２判定部と、を具備する、構成を採る。
【００１１】
本開示の一態様に係る信号合成方法は、１つの端末から送信された信号を合成基地局及び転送基地局と協調して受信し、前記転送基地局の受信信号及び前記合成基地局の受信信号の合成処理を行うにおける通信システムの信号合成方法であって、前記合成基地局が、前記端末からの受信信号に対して復調処理を施し、前記端末の初回送信時における前記合成基地局の受信信号の復号結果に誤りが有る場合に前記合成処理が必要と判定し、前記合成処理が必要と判定された場合に前記端末に対してＮＡＣＫを送信するとともに、前記転送基地局に対して信号転送要求メッセージを送信し、前記転送基地局が、前記端末からの受信信号に対して復調処理を施し、前記端末の初回送信時から今回の再送時までにおける受信信号に対する復調処理によって得られた信号を合成し、前記信号転送要求メッセージを受信した場合、合成した信号を転送信号として前記合成基地局に送信し、前記合成基地局が、前記端末の再送時において、前記転送基地局から前記転送信号を受信し、前記合成処理が必要と判定された場合、前記転送基地局からの前記転送信号と、前記端末の今回の再送時における受信信号に対する復調処理によって得られた信号と、前記端末の初回送信時から前回の再送時までにおける受信信号に対する復調処理によって得られた信号を合成した信号と、を合成する。
【発明の効果】
【００１３】
本開示の一態様によれば、ＣｏＭＰ適用による受信品質の改善効果を維持しつつ、ＣｏＭＰ適用時の信号の転送量を減少させることができる。
【図面の簡単な説明】
【００１４】
【図１】ＵＬ−ＣｏＭＰの適用が想定される環境の一例を示す図
【図２】実施の形態１に係る通信システムの構成を示す図
【図３】実施の形態１に係る基地局（合成基地局）の構成を示すブロック図
【図４】実施の形態１に係る基地局（転送基地局）の構成を示すブロック図
【図５】実施の形態１に係る基地局の動作を示すシーケンス図
【図６】実施の形態２に係る基地局（転送基地局）の構成を示すブロック図
【図７】実施の形態２に係る基地局の動作を示すシーケンス図
【発明を実施するための形態】
【００１５】
以下、本開示の一態様に係る実施の形態について、図面を参照して詳細に説明する。なお、以下では、本開示の一態様に係る発明に密接に関連するＵＬ−ＣｏＭＰに関する処理について説明し、その他の処理についての説明を省略する。
【００１６】
［通信システムの構成］
図２は、本開示の実施の形態に係る通信システムの構成例を示す。
【００１７】
本実施の形態に係る通信システム１０は、少なくとも１つの端末と、複数の基地局とを含む。通信システム１０にはＵＬ−ＣｏＭＰが適用可能であり、ＵＬ−ＣｏＭＰに参加する複数の基地局（CoMP cooperation set）は、端末から送信される信号を協調して受信する。複数の基地局のうちの１つである基地局１００は、複数の基地局で受信された受信信号の合成処理を行う「合成基地局」であり、合成基地局以外の他の基地局２００は、合成基地局へ受信信号を転送する「転送基地局」である。基地局１００（合成基地局）は、例えば、端末に対して制御情報を送信する基地局である。
【００１８】
なお、図２では、ＵＬ−ＣｏＭＰに参加する複数の基地局の一例として２つの基地局を示しているが、これに限定されず、３個以上の基地局においてＵＬ−ＣｏＭＰが適用されてもよい。この場合、複数の基地局は、１つの合成基地局（基地局１００）と、２つ以上の転送基地局（基地局２００）によって構成される。
【００１９】
［基地局１００の構成］
図３は、本実施の形態に係る基地局１００（合成基地局）の構成を示すブロック図である。
【００２０】
図３に示す基地局１００は、端末間通信部１０１、復調部１０２、合成部１０３、復号部１０４、判定部１０５及び基地局間通信部１０６を備える。
【００２１】
端末間通信部１０１は、端末との間の通信を行う。具体的には、端末間通信部１０１は、端末から送信される信号（上り回線信号）を受信し、受信信号を復調部１０２に出力する。また、端末間通信部１０１は、端末から受信した信号に対する誤り検出結果を示す応答信号（ＡＣＫ又はＮＡＣＫ）を復号部１０４から受け取り、対応する端末へ送信する。
【００２２】
復調部１０２は、端末間通信部１０１から受け取る受信信号に対して復調処理を施し、復調後の信号を合成部１０３へ出力する。
【００２３】
合成部１０３は、各端末の初回送信時には、復調部１０２から受け取る信号を復号部１０４へ出力するとともに、当該信号を格納する。合成部１０３は、各端末の再送時には、復調部１０２から受け取る信号（再送信号）、後述する基地局間通信部１０６から受け取る信号（転送基地局からの転送信号）、及び、合成部１０３が格納する信号（合成信号）を合成する。そして、合成部１０３は、合成後の信号を復号部１０４に出力するとともに、合成後の信号を格納する。
【００２４】
復号部１０４は、合成部１０３から受け取る信号に対して復号処理を施し、復号後の信号を得る。また、復号部１０４は、復号後の信号に対して誤り検出処理を施し、誤り検出結果に応じた応答信号（ＡＣＫ（誤り無し）、ＮＡＣＫ（誤り有り））を生成する。復号部１０４は、復号結果である応答信号を端末間通信部１０１及び判定部１０５へ出力する。
【００２５】
判定部１０５は、復号部１０４から受け取る復号結果に基づいて、転送基地局である基地局２００を含む複数の基地局が受信した受信信号の合成処理の要否を判定する。例えば、判定部１０５は、復号部１０４から受け取る復号結果が誤り有り（ＮＡＣＫ）の場合、受信信号の合成処理が必要であると判定する。判定部１０５は、受信信号の合成処理が必要と判定した場合、転送基地局に対して受信信号の転送を要求するメッセージ（転送要求メッセージ）を基地局間通信部１０６へ出力する。
【００２６】
基地局間通信部１０６は、基地局２００との通信を行う。具体的には、基地局間通信部１０６は、判定部１０５から受け取る転送要求メッセージを基地局２００へ送信する。また、基地局間通信部１０６は、端末の再送時に基地局２００から転送される転送信号を受信し、受信した転送信号を合成部１０３に出力する。基地局１００と基地局２００との間の通信は、例えば、Ｘ２インタフェースを用いて行われる。
【００２７】
［基地局２００の構成］
図４は、本実施の形態に係る基地局２００（転送基地局）の構成を示すブロック図である。
【００２８】
図４に示す基地局２００は、端末間通信部２０１、復調部２０２、基地局間通信部２０３及び判定部２０４を備える。
【００２９】
端末間通信部２０１は、端末との間の通信を行う。具体的には、端末間通信部２０１は、端末から送信される信号（上り回線信号）を受信し、受信信号を復調部２０２に出力する。
【００３０】
復調部２０２は、端末間通信部２０１から受け取る受信信号に対して復調処理を施す。また、復調部２０２は、判定部２０４から転送の指示がある場合、復調後の信号を基地局間通信部２０３へ出力する。
【００３１】
基地局間通信部２０３は、基地局１００との通信を行う。具体的には、基地局間通信部２０３は、基地局１００から送信されたメッセージを受信し、判定部２０４へ出力する。また、基地局間通信部２０３は、復調部２０３から受け取る信号を基地局１００へ送信（転送）する。
【００３２】
判定部２０４は、基地局間通信部２０３から受け取ったメッセージにおいて、受信信号の転送を要求するメッセージが含まれる場合、復調部２０２に対して復調後の信号の転送を指示する。
【００３３】
［基地局１００及び基地局２００の動作］
次に、上述した基地局１００及び基地局２００の動作例について詳細に説明する。
【００３４】
図５は、本実施の形態に係る上り回線信号の送受信処理の一例を示すシーケンス図である。
【００３５】
図５において、ステップ（以下、「ＳＴ」と表す）１１〜ＳＴ１８は、端末の初回送信時の動作を示し、ＳＴ２１〜ＳＴ２７は、端末の再送時の動作を示す。
【００３６】
ＳＴ１１では、端末は、上り回線信号Xt1を送信し、基地局１００及び基地局２００は、当該上り回線信号を受信する。
【００３７】
ＳＴ１２では、基地局１００は、ＳＴ１１で受信した上り回線信号に対して復調処理を施し、復調後の信号XBS1,t1を得る。ＳＴ１３では、基地局２００は、ＳＴ１１で受信した上り回線信号に対して復調処理を施し、復調後の信号XBS2,t1を得る。
【００３８】
ＳＴ１４では、基地局１００は、ＳＴ１２で得た復調後の信号XBS1,t1に対して合成処理を施す。ただし、初回送信時には信号XBS1,t1しか受信していないので、基地局１００は、信号XBS1,t1を合成信号（XBS1,t1）’としてそのまま格納する。
【００３９】
ＳＴ１５では、基地局１００は、合成信号（XBS1,t1）’に対して復号処理を施し、誤りの有無を検出する。図５では、基地局１００は、復号結果としてＮＡＣＫ（誤り有り）を出力する。ＳＴ１６では、基地局１００は、端末に対してＮＡＣＫを送信する。
【００４０】
ＳＴ１７では、基地局１００は、ＳＴ１５における復号結果に基づいて、ＣｏＭＰ処理による合成処理の要否を判定する。すなわち、基地局１００は、初回送信時において、自局の受信信号を用いて、ＣｏＭＰ処理による合成処理の要否を判定する。図５では、ＳＴ１５においてＮＡＣＫが得られているので、基地局１００は、ＣｏＭＰ処理による合成処理が必要と判定する。
【００４１】
ＳＴ１８では、基地局１００は、基地局２００に対して受信信号の転送を要求する転送要求メッセージを送信する。すなわち、基地局１００は、ＣｏＭＰ処理による合成処理が必要と判定した場合に基地局２００に対して受信信号の転送を要求する転送要求メッセージを送信する。
【００４２】
再送時において、ＳＴ２１では、端末は、上り回線信号Xt2を送信し、基地局１００及び基地局２００は、当該上り回線信号を受信する。
【００４３】
ＳＴ２２では、基地局１００は、ＳＴ２１で受信した上り回線信号に対して復調処理を施し、復調後の信号XBS1,t2を得る。ＳＴ２３では、基地局２００は、ＳＴ２１で受信した上り回線信号に対して復調処理を施し、復調後の信号XBS2,t2を得る。
【００４４】
基地局２００は、ＳＴ１８において転送要求メッセージを受信しているので、ＳＴ２４において、ＳＴ２３で得た復調後の信号XBS2,t2を基地局１００へ転送する。すなわち、基地局１００は、ＣｏＭＰ処理による合成処理が必要と判定した場合に、再送時において基地局２００から転送される転送信号を受信する。
【００４５】
ＳＴ２５では、基地局１００は、ＳＴ２２で得た復調後の信号XBS1,t2、ＳＴ２４において基地局２００から転送された信号XBS2,t2、及び、初回送信時に格納している信号（XBS1,t1）’を用いて合成処理を施し、合成信号（XBS1,t1+XBS1,t2+XBS2,t2）’を得る。すなわち、基地局１００は、ＣｏＭＰ処理による合成処理が必要と判定した場合に、基地局２００からの転送信号と基地局１００の受信信号とを合成する。
【００４６】
ＳＴ２６では、基地局１００は、合成信号（XBS1,t1+XBS1,t2+XBS2,t2）’に対して復号処理を施し、誤りの有無を検出する。図５では、基地局１００は、復号結果としてＡＣＫ（誤り無し）を出力する。ＳＴ２７では、基地局１００は、端末に対してＡＣＫを送信する。
【００４７】
以上のように、端末の初回送信時には、基地局１００（合成基地局）は、基地局１００の受信信号のみを用いて受信処理を行う。また、基地局１００は、初回送信時における基地局１００の受信信号を用いて、ＣｏＭＰ処理による合成処理の要否を判定する。そして、基地局１００は、合成処理が必要と判定した場合、基地局２００に対して受信信号の転送を要求するメッセージを送信し、再送時において基地局２００から転送される転送信号を受信する。
【００４８】
すなわち、基地局２００は、端末の初回送信時には、基地局２００が受信した受信信号の転送を行わない。また、基地局１００は、初回送信時の基地局１００の受信信号を用いて合成処理が必要と判定した場合に、再送時において、基地局２００からの転送信号と基地局１００の受信信号とを合成する。
【００４９】
例えば、基地局１００が、基地局１００において端末から受信した信号のみを用いて正常に復号可能である場合には、基地局２００から転送される受信信号の転送処理は無駄となる。これに対して、本実施の形態によれば、初回送信時の転送基地局からデータが転送されない分、信号の転送量を減少させることができる。すなわち、端末の初回送信時に合成基地局の受信信号のみを用いて誤りが無いと判定された場合には、転送基地局からの無駄な転送を防ぐことができる。
【００５０】
一方、端末の初回送信時に合成基地局の受信信号のみを用いて誤りが有ると判定された場合には、再送時においてＵＬ−ＣｏＭＰが適用され、複数の基地局（基地局１００及び基地局２００）による合成処理を行うことにより、信号の受信品質を改善することができる。
【００５１】
よって、本実施の形態によれば、ＣｏＭＰ適用による受信品質の改善効果を維持しつつ、ＣｏＭＰ適用時の信号の転送量を減少させることができる。
【００５２】
（実施の形態２）
本実施の形態に係る合成基地局の基本構成は、実施の形態１と同様であるので、図３（基地局１００）を援用して説明する。
【００５３】
図６は、本実施の形態に係る基地局３００（転送基地局）の構成を示すブロック図である。なお、図６において、実施の形態１（図４）と同一の構成には同一の符号を付し、その説明を省略する。
【００５４】
図６に示す基地局３００において、バッファ３０１は、復調部２０２から復調後の信号を受け取る度に合成処理を行い、合成後の信号を格納する。バッファ３０１は、例えば、サーキュラバッファであり、復調後の信号として、受信信号から算出される対数尤度比（ＬＬＲ：Log Likelihood Ratio）を合成する。そして、バッファ３０１は、判定部２０４から転送の指示を受け取った場合、格納している合成信号（ＬＬＲ）を基地局間通信部２０３へ出力する。これにより、再送時には、ＬＬＲが合成基地局（基地局１００）へ転送される。つまり、基地局３００から転送される転送信号は、基地局３００において初回送信時から今回の再送時までに受信された信号が合成された信号である。
【００５５】
［基地局１００及び基地局３００の動作］
次に、上述した基地局１００及び基地局３００の動作例について詳細に説明する。
【００５６】
図７は、本実施の形態に係る上り回線信号の送受信処理の一例を示すシーケンス図である。なお、図７において、図５と同一の処理には同一の符号を付し、その説明を省略する。
【００５７】
図７に示す初回送信時において、ＳＴ３１では、基地局３００は、ＳＴ１３で得た復調後の信号XBS2,t1に対して合成処理を施す。合成後の信号（XBS2,t1）’（例えばＬＬＲ）は、バッファ３０１（サーキュラバッファ）に格納される。
【００５８】
なお、実施の形態１と同様、初回送信時には、基地局３００から基地局１００に対して受信信号は転送されない。
【００５９】
再送時において、ＳＴ３２では、基地局３００は、ＳＴ３１において格納された信号（XBS2,t1）’とＳＴ２３で得た復調後の信号XBS2,t2とに対して合成処理を施す。合成信号（XBS2,t1+XBS2,t2）’は、バッファ３０１（サーキュラバッファ）に格納される。
【００６０】
基地局３００は、ＳＴ１８において転送要求メッセージを受信しているので、ＳＴ２４’において、ＳＴ３２で得た合成信号（XBS2,t1+XBS2,t2）’を基地局１００へ転送する。つまり、基地局１００は、基地局３００が初回送信時及び再送時に受信した信号が合成された信号を転送信号として受信する。
【００６１】
ＳＴ２５’では、基地局１００は、ＳＴ２２で得た復調後の信号XBS1,t2、ＳＴ２４’において基地局３００から転送された信号（XBS2,t1+XBS2,t2）’及び、初回送信時に格納している信号（XBS1,t1）’を用いて合成処理を施し、合成信号（XBS1,t1+XBS1,t2+XBS2,t1+XBS2,t2）’を得る。
【００６２】
以上のように、基地局３００（転送基地局）は、端末から送信される上り回線信号を受信する度に合成処理を行い、得られた合成信号（ＬＬＲ）をサーキュラバッファに格納する。そして、基地局３００は、基地局１００から転送要求が有る場合に、合成信号を転送する。
【００６３】
こうすることで、基地局１００は、基地局３００において受信した全ての上り回線信号の情報を反映させた合成処理を行うことができる。具体的には、実施の形態１（例えば図５を参照）では、基地局１００での再送時の合成処理において、初回送信時の転送基地局の受信信号XBS2,t1を除く、（XBS1,t1+XBS1,t2+XBS2,t2）が用いられた。これに対して、本実施の形態（例えば、図７を参照）では、基地局１００での再送時の合成処理において、基地局１００及び基地局３００において受信された全ての受信信号（XBS1,t1+XBS2,t1+XBS1,t2+XBS2,t2）が用いられる。
【００６４】
また、基地局３００（バッファ３０１）は、端末から送信される上り回線信号を受信する度に、前回までに受信した信号によって生成された合成信号に、今回受信した信号を合成して新たな合成信号を生成する。そして、基地局３００は、バッファ３０１から合成信号を読み出して基地局１００へ転送する。つまり、バッファ３０１から読み出される合成信号のサイズ（転送量）は、基地局３００での合成回数（例えば端末の再送回数）に依らず、一定である。
【００６５】
例えば、図７に示す再送時に、基地局３００が転送する信号には、初回送信時の受信信号XBS1,t2及び再送時の受信信号XBS2,t2を含むにもかかわらず、転送信号のサイズ（転送量）は１回の転送に要するサイズと同等である。つまり、転送信号のサイズは、合成前の信号XBS1,t2及びXBS2,t2の転送に必要なサイズの半分で済む。換言すると、本実施の形態では、実施の形態１と比較して、同程度のサイズの転送信号によって、再総回数倍の情報が転送される。つまり、基地局３００は、１回の転送と同程度の転送量によって、複数の送信回数の信号が合成された信号を基地局１００へ転送する。
【００６６】
このように、本実施の形態では、基地局３００（バッファ３０１）において、端末から送信される上り回線信号を合成することにより、受信した上り回線信号の情報が圧縮される。これにより、本実施の形態では、実施の形態１と比較して、転送基地局から合成基地局への転送量の増加を抑えつつ、合成基地局における合成処理による受信品質の改善効果を向上させることができる。
【００６７】
また、本実施の形態によれば、実施の形態１と同様、基地局３００は、端末の初回送信時には、基地局３００が受信した受信信号の転送を行わないので、信号の転送量を減少させることができる。
【００６８】
よって、本実施の形態によれば、ＣｏＭＰ適用による受信品質の改善効果を更に向上しつつ、ＣｏＭＰ適用時の信号の転送量を減少させることができる。
【００６９】
以上、本開示の一態様に係る実施の形態について説明した。
【００７０】
（実施の形態の変形例）
［１］上記実施の形態では、転送要否の判定基準として、誤り検出結果（ＡＣＫ／ＮＡＣＫ）を用いる場合について説明したが、転送要否の判定基準に用いるパラメータは、誤り検出結果に限定されない。
【００７１】
例えば、転送要否の判定基準として、上り回線における端末と基地局１００（合成基地局）との間の受信品質（ＣＱＩ：Channel Quality Indicator）を用いてもよい。具体的には、基地局１００（判定部１０５）は、端末と基地局１００との間の受信品質が所定の閾値未満の場合、端末から送信される上り回線信号を正常に受信できる可能性が低いと判定し、基地局２００に対して転送を要求する。
【００７２】
また、例えば、転送要否の判定基準として、過去の統計情報を用いてもよい。具体的には、基地局１００（判定部１０５）は、初回送信時における基地局１００の受信信号を含む過去に受信した信号の受信信号に対して統計処理を行って得られる統計量が所定の閾値未満の場合、今回の受信処理における受信（復号）が失敗と予測し、基地局２００に対して転送を要求する。
【００７３】
［２］上記実施の形態では、転送要否の判定を合成基地局（基地局１００）が行う場合について説明したが、転送要否の判定を転送基地局（基地局２００）が行ってもよい。
【００７４】
例えば、基地局２００（判定部２０４）は、自局が受信する上り回線信号の受信結果（誤り検出結果）に基づいて転送の要否を判定してもよい。又は、基地局２００は、受信処理に関する過去の統計情報に基づいて、今回の受信処理における受信成否を予測し、受信失敗と予測される場合、基地局１００に対して受信信号を転送してもよい。
【００７５】
こうすることで、上記実施の形態のように合成基地局から転送基地局への転送要求メッセージの送信が不要となる。
【００７６】
［３］上記実施の形態では、本発明をハードウェアで構成する場合を例にとって説明したが、本発明はハードウェアとの連携においてソフトウェアによって実現することも可能である。
【００７７】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００７８】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００７９】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【００８０】
本開示の一態様は、移動通信システム等に適用できる。
【符号の説明】
【００８１】
１００，２００，３００  基地局
１０１，２０１  端末間通信部
１０２，２０２  復調部
１０３  合成部
１０４  復号部
１０５，２０４  判定部
１０６，２０３  基地局間通信部
３０１  バッファ
【図１】
0006771139.tif 000002
【図２】
0006771139.tif 000003
【図３】
0006771139.tif 000004
【図４】
0006771139.tif 000005
【図５】
0006771139.tif 000006
【図６】
0006771139.tif 000007
【図７】
0006771139.tif 000008